(57)【要約】【課題】光源から照射される光の無駄を抑えた光学レンズ及びそれを用いたレンズユニット並びに照明器具を提供する。【解決手段】光学レンズ２１は、前後方向と直交する第１の方向において前方に凸となる凸曲面を有するレンズ本体２１ａを備える。前後方向及び上記第１の方向それぞれと直交する第２の方向におけるレンズ本体２１ａの両側には、後方に配置されたＬＥＤ光源２５からの光を前方に反射させる角柱状の反射部２１ｃ，２１ｃが設けられている。その結果、ＬＥＤ光源２５から照射された光のうち上記第２の方向へ向かう光を前方に配光できることから、前方への光量を増加できるとともに光の無駄を抑えた光学レンズ２１を提供することができる。【選択図】図１
2012145904.tif 000002
【特許請求の範囲】
【請求項１】
前後方向と直交する第１の方向において前方に凸となる凸曲面が設けられた凸レンズを備え、
前後方向及び前記第１の方向それぞれと直交する第２の方向における前記凸レンズの両側に、後方に配置された光源からの光を前方に反射させる反射部が設けられていることを特徴とする光学レンズ。
【請求項２】
前記凸レンズは、前記第１の方向から見た際に前後方向に対して直交し前記光源からの光が入射される入射面を有しており、
前記両反射部は、前記第１の方向から見た形状が前記凸レンズに対して対称形状であることを特徴とする請求項１記載の光学レンズ。
【請求項３】
前記凸レンズは、前記第１の方向から見た際に前後方向に対して所定の角度傾斜させた第３の方向に対して直交し前記光源からの光が入射される入射面を有しており、
前記両反射部は、前記第１の方向から見た形状が前記凸レンズに対して非対称形状であり、前記両反射部で反射された光は前記第３の方向に照射されることを特徴とする請求項１記載の光学レンズ。
【請求項４】
請求項１〜３の何れか１項に記載の光学レンズを複数備え、
複数の前記光学レンズを組み合わせて構成された集合体であることを特徴とするレンズユニット。
【請求項５】
請求項１〜３の何れか１項に記載の光学レンズ又は請求項４記載のレンズユニットと、前記光源とを備えていることを特徴とする照明器具。
【発明の詳細な説明】
【技術分野】
【０００１】
本発明は、光学レンズ及びそれを用いたレンズユニット並びに照明器具に関するものである。
【背景技術】
【０００２】
従来より、車輌が通行する道路を照らすための道路照明灯具に用いられる光学モジュールが提供されている（例えば特許文献１参照）。この光学モジュールは、アクリルなどの透光性材料により略半球形状に形成されたレンズと、レンズの焦点位置がその原点位置となるように配置されたＬＥＤ光源とを備える。レンズの表面には、ＬＥＤ光源の中心軸の両側の所定の領域に、断面視の形状が略三角形状に形成された反射部がそれぞれ設けられている。そして、この光学モジュールは、上記の両反射部の配列方向が車輌の進行方向となるように配置され、この光学モジュールにより上記の進行方向においてＬＥＤ光源からの光が広角に配光される。
【先行技術文献】
【特許文献】
【０００３】
【特許文献１】特開２０１０−２０５６０５号公報（段落［００２９］−段落［００４６］、及び、第１図−第７図）
【発明の概要】
【発明が解決しようとする課題】
【０００４】
上述の特許文献１に示した光学モジュールでは、車輌の進行方向への配光を広角にできるものの、車輌の進行方向と直交する道路の幅方向では、レンズの両端部からの光が道路外に照射されることになり、そのためその分だけ光の無駄が生じてしまうものであった。
【０００５】
本発明は上記問題点に鑑みて為されたものであり、その目的とするところは、光源から照射される光の無駄を抑えた光学レンズ及びそれを用いたレンズユニット並びに照明器具を提供することにある。
【課題を解決するための手段】
【０００６】
本発明の光学レンズは、前後方向と直交する第１の方向において前方に凸となる凸曲面が設けられた凸レンズを備え、前後方向及び第１の方向それぞれと直交する第２の方向における凸レンズの両側に、後方に配置された光源からの光を前方に反射させる反射部が設けられていることを特徴とする。
【０００７】
この光学レンズにおいて、凸レンズは、第１の方向から見た際に前後方向に対して直交し光源からの光が入射される入射面を有しており、両反射部は、第１の方向から見た形状が凸レンズに対して対称形状であるのが好ましい。
【０００８】
また、この光学レンズにおいて、凸レンズは、第１の方向から見た際に前後方向に対して所定の角度傾斜させた第３の方向に対して直交し光源からの光が入射される入射面を有しており、両反射部は、第１の方向から見た形状が凸レンズに対して非対称形状であり、両反射部で反射された光は第３の方向に照射されるのも好ましい。
【０００９】
本発明のレンズユニットは、上記の光学レンズを複数備え、複数の光学レンズを組み合わせて構成された集合体であることを特徴とする。
【００１０】
本発明の照明器具は、上記の光学レンズ又は上記のレンズユニットと、光源とを備えていることを特徴とする。
【発明の効果】
【００１１】
光源から照射される光の無駄を抑えた光学レンズ、レンズユニット及び照明器具を提供することができるという効果がある。
【図面の簡単な説明】
【００１２】
【図１】実施形態１の光学レンズを示し、（ａ）は外観斜視図、（ｂ）（ｃ）は断面図である。
【図２】（ａ）（ｂ）は従来の光学レンズの配光特性を示すグラフ、（ｃ）（ｄ）は実施形態１の光学レンズの配光特性を示すグラフである。
【図３】実施形態１のレンズユニットの一部省略せる正面図である。
【図４】同上及びＬＥＤ光源を実装したＬＥＤ基板の外観斜視図である。
【図５】実施形態１の照明器具の外観斜視図である。
【図６】同上の断面斜視図である。
【図７】（ａ）は同上の一部省略せる縦断面図、（ｂ）は同上の横断面図である。
【図８】同上の施工図である。
【図９】同上の他の例を示す概略外観図である。
【図１０】実施形態２の光学レンズを示し、（ａ）は外観斜視図、（ｂ）（ｃ）は断面図である。
【図１１】（ａ）（ｂ）は同上の配光特性を示すグラフである。
【図１２】実施形態２のレンズユニットの正面図である。
【図１３】同上及びＬＥＤ光源を実装したＬＥＤ基板の外観斜視図である。
【図１４】実施形態２の照明器具の外観斜視図である。
【図１５】（ａ）は同上の断面斜視図、（ｂ）はその一部拡大図である。
【図１６】（ａ）は同上の縦断面図、（ｂ）は同上の横断面図である。
【図１７】（ａ）は同上の施工図、（ｂ）は従来の照明器具の施工図である。
【発明を実施するための形態】
【００１３】
（実施形態１）
光学レンズ、レンズユニット及び照明器具の実施形態１を図１〜図９に基づいて説明する。本実施形態の照明器具Ａは、図８に示すように、例えば道路Ｒに沿って立設されたポールＰの先端部に直接又はアームを用いて取り付けられ、道路Ｒを照らすための道路灯として用いられる。
【００１４】
本実施形態の照明器具Ａは、図５〜図７に示すように、器具本体１と、ＬＥＤ光源２５（図１参照）が実装された複数（図５では４個）のＬＥＤ基板２０と、ＬＥＤ光源２５を覆うようにしてＬＥＤ基板２０の一面に配置されるレンズユニット２（図４参照）とを備える。また、照明器具Ａは、ＬＥＤ基板２０から照射される光のうち器具本体１内へ漏れる光を下方（道路Ｒ側）に反射させる補助反射板３と、ＬＥＤ基板２０に点灯電力を供給する電源ユニット５とを備える。
【００１５】
器具本体１は、例えばアルミダイキャスト製であり、一面（図５中の上面）が開口するボディ１０と、ボディ１０の上面開口を閉塞するようにしてボディ１０に被着されるカバー１１，１２とを備える。この器具本体１は、筒状部１ａと、筒状部１ａの先端側（図５中の右側）に一体に形成された平板部１ｂとで構成され、筒状部１ａ内には電源ユニット５が収納されるとともに、基端側（図６中の左側）にはポールＰの先端部に設けられたアーム（図示せず）が挿入されるアーム挿入部１ｃが設けられている。また、器具本体１の平板部１ｂの他面（図５中の下面）には矩形状の開口窓１ｄが設けられており、この開口窓１ｄを臨むようにして複数のＬＥＤ基板２０が平板部１ｂ内に収納されている。
【００１６】
さらに、平板部１ｂ内において開口窓１ｄの開口端縁には、Ｕ字状に形成された合成樹脂製のパッキン７が全周に亘って設けられており、このパッキン７に設けられた溝７ａ内に端縁部分を差し込むことで、透光パネル８（例えばガラスなど）が開口窓１ｄを臨むようにして配置される。
【００１７】
また、平板部１ｂ内に収納されたＬＥＤ基板２０の側方（図７（ａ）中の左右方向両側）には、ＬＥＤ基板２０から照射された光のうち器具本体１内へ漏れる光を下方に反射させる補助反射板３，３が設けられている。さらに、ＬＥＤ基板２０の裏面（図７（ａ）及び図７（ｂ）中の上面）には、ＬＥＤ基板２０の表面に実装されたＬＥＤ光源２５（図１参照）で発生する熱を放熱するための放熱板４及び放熱フィン９が取り付けられており、また電源ユニット５の裏面にも電源ユニット５で発生する熱を放熱するための放熱板６（図６参照）が取り付けられている。
【００１８】
ここで、図４はＬＥＤ基板２０の外観斜視図であり、ＬＥＤ基板２０の一面（図４中の上面）には複数のＬＥＤ光源２５が実装されるとともに、これらのＬＥＤ光源２５を覆うようにして複数（図４では３個）のレンズユニット２が配置されている。なお、これらのレンズユニット２は、ＬＥＤ基板２０とともに取付ねじ２３，２４を用いて放熱板４に取り付けられる。
【００１９】
ＬＥＤ光源２５は、図１（ｂ）及び図１（ｃ）に示すように、矩形板状に形成された実装基板２５ａを有し、実装基板２５ａの略中央にはＬＥＤチップ（図示せず）が実装されている。また、実装基板２５ａに実装されたＬＥＤチップは、樹脂層２５ｂによりモールドされている。そして、このＬＥＤ光源２５はＬＥＤ基板２０の上面に半田を用いて実装され、ＬＥＤ基板２０から供給される電力により上記のＬＥＤチップが発光する。
【００２０】
レンズユニット２は、図３及び図４に示すように、複数の光学レンズ２１と、これらの光学レンズ２１をＬＥＤ基板２０に取り付けるための取付部材２２，２２とが一体に形成された樹脂成形品からなり、各取付部材２２はＬＥＤ基板２０の長手方向に沿って配置される矩形板状に形成されている。また、図３に示すように、隣接する光学レンズ２１，２１間には所定の間隔が設けられており、この間隔により隣接する光学レンズ２１，２１間での光の干渉を抑えることができる。
【００２１】
光学レンズ２１は、例えばアクリルなどの透光性材料からなり、図１（ａ）〜図１（ｃ）に示すように、前後方向（図１（ａ）中の矢印ａ−ｂ方向）と直交する第１の方向（図１（ａ）中の矢印ｃ−ｄ方向）において前方に凸となる凸曲面が設けられた砲弾型のレンズ本体（凸レンズ）２１ａを備える。レンズ本体２１ａにおいて上記第１の方向と直交する第２の方向（図１（ａ）中の矢印ｅ−ｆ方向）には前方に凸となる凸曲面があり、その両側には後方に配置されたＬＥＤ光源２５からの光を前方に反射させるための角柱状の反射部２１ｃ，２１ｃが一体に設けられている。また、各反射部２１ｃの後側（図１（ａ）中の下側）には、ＬＥＤ光源２５で発生した熱を外部に逃がすための放熱孔２１ｂがそれぞれ設けられている。ここにおいて、各反射部２１ｃの外側面２１ｄは、反射部２１ｃに入射された光を全反射するような曲面に形成されており、その結果、反射部２１ｃから側方へ漏れる光を抑えることができる。
【００２２】
さらに、レンズ本体２１ａには、ＬＥＤ光源２５からの光が入射される入射面２１ｊが、上記第１の方向から見た際に前後方向に対して直交する形で設けられており、また両反射部２１ｃ，２１ｃは、上記第１の方向から見た形状がレンズ本体２１ａに対して対称形状となっている。
【００２３】
ここで、本実施形態では、図４に示すように、１枚のＬＥＤ基板２０上に１６個×３列＝４８個のＬＥＤ光源２５が実装されるとともに、各ＬＥＤ光源２５それぞれに対応する形で４８個の光学レンズ２１が前方に配置されている。なお、各光学レンズ２１は、それぞれ左右方向（図１（ａ）中の矢印ｅ−ｆ方向）がＬＥＤ基板２０の長手方向となるように配置される。
【００２４】
また、ＬＥＤ基板２０は、図５に示すように、その長手方向が器具本体１の長手方向（図５中の左右方向）となるように配置され、さらに照明器具Ａは、図８に示すように、器具本体１の長手方向が道路Ｒの幅方向となるように設置される。つまり、本実施形態の照明器具Ａは、光学レンズ２１の左右方向（図１（ａ）中の矢印ｅ−ｆ方向）が道路Ｒの幅方向となるように設置される。
【００２５】
次に、光学レンズ２１の配光特性について、従来の光学レンズと比較しながら説明する。まず、図２（ａ）は従来の光学レンズの第１の方向（図１（ａ）中の矢印ｃ−ｄ方向）における配光特性を示し、図２（ｂ）は従来の光学レンズの第２の方向（図１（ａ）中の矢印ｅ−ｆ方向）における配光特性を示している。従来の光学レンズによれば、道路Ｒの進行方向に対しては広角（±７０°程度）に配光することができるが（図２（ａ）参照）、道路Ｒと直交する方向（つまり道路Ｒの幅方向）については±３０°の範囲から外側に漏れる光が多く発生し（図２（ｂ）参照）、その分だけ無駄が生じていた（つまり、道路Ｒ外に照射される光の領域ａが大きくなっていた。）。
【００２６】
一方、図２（ｃ）は光学レンズ２１の第１の方向（図１（ａ）中の矢印ｃ−ｄ方向）における配光特性を示し、図２（ｄ）は光学レンズ２１の第２の方向（図１（ａ）中の矢印ｅ−ｆ方向）における配光特性を示している。光学レンズ２１によれば、道路Ｒの進行方向に対しては従来の光学レンズと略同等の配光特性を有し（図２（ｃ）参照）、道路Ｒと直交する方向については±３０°の範囲から外側に漏れる光を低減することができる。これは、光学レンズ２１に設けられた反射部２１ｃ，２１ｃによって外側への光を前方に反射させたためであり、その結果、道路Ｒ外へ向かう光の量を抑えて前方への光の量を増加させることができる。
【００２７】
また、図１（ｂ）は第１の方向（図１（ａ）中の矢印ｃ−ｄ方向）に沿った光学レンズ２１の断面図であり、左右方向に広角に照射された光は反射部２１ｃ，２１ｃの外側面２１ｄ，２１ｄで全反射されるとともに、出射面で内向きに屈折して前方に照射される。さらに、図１（ｃ）は第２の方向（図１（ａ）中の矢印ｅ−ｆ方向）に沿った光学レンズ２１の断面図であり、ＬＥＤ光源２５からの光は広角に配光される。
【００２８】
従って、この光学レンズ２１を用いることで、道路Ｒの進行方向では広角な配光を実現でき（図７（ａ）中の矢印参照）、道路Ｒと直交する幅方向では中角な配光を実現できる（図７（ｂ）中の矢印参照）。ここに、ＬＥＤ光源２５による最大光度の１０分の１よりも大きい光度が得られる角度をθ２とした場合、それぞれθ２≧７０°の範囲を広角、２９°＜θ２＜７０°の範囲を中角、θ２≦２９°の範囲を狭角という。
【００２９】
而して本実施形態によれば、ＬＥＤ光源２５から照射された光のうち道路Ｒ外へ向かう広角の光を反射部２１ｃ，２１ｃにより前方に配光することができるので、道路Ｒ外に照射される光の量を抑えることができ、その結果、光の無駄を抑えた光学レンズ２１を提供することができる。つまり、図８中の領域ａ（道路Ｒ外に照射される光の領域）を小さくすることができる。
【００３０】
また本実施形態のように、複数の光学レンズ２１を組み合わせてレンズの集合体（本実施形態のレンズユニット２）とすることで、複数のＬＥＤ光源２５から照射される光を容易に集光することができ、しかも光学レンズ２１を個別にＬＥＤ基板２０に取り付ける場合に比べて作業時間の短縮が図れる。さらに本実施形態によれば、光の配光を制御する際に反射板などを追加しなくてもよく、部品点数を削減することができる。また本実施形態のように、光学レンズ２１又はレンズユニット２を用いることによって、ＬＥＤ光源２５から照射される光の無駄を抑えた照明器具Ａを提供することができる。
【００３１】
なお本実施形態では、照明器具Ａとして道路Ｒに沿って設置される道路灯を例に説明したが、照明器具Ａは本実施形態に限定されるものではなく、図９に示すように拡散性を有するグローブ１００が光源の前方に配置された防犯灯であってもよい。また、前後方向と直交する第１の方向において広角の配光となり、前後方向及び第１の方向それぞれと直交する第２の方向において狭角〜中角の配光となるようなものであれば、他の照明器具であってもよい。
【００３２】
また本実施形態では、光学レンズ２１を１６個１列に並べたものをレンズユニット２としているが、レンズユニット２は複数の光学レンズ２１を組み合わせた集合体であれば本実施形態に限定されるものではなく、例えば光学レンズ２１を円環状に配置したものでもよい。さらに本実施形態では、反射部２１ｃに入射された光が全反射するように外側面２１ｄを曲面としているが、少なくとも入射された光の一部が反射されるようになっていればよく、平面や平面及び曲面を組み合わせたものであってもよい。
【００３３】
（実施形態２）
光学レンズ、レンズユニット及び照明器具の実施形態２を図１０〜図１７に基づいて説明する。本実施形態の照明器具Ａは、図１７（ａ）に示すように、例えば住宅１００に隣接する歩道脇に立設されたポール４０にアーム３０を用いて取り付けられ、歩道を照らすための歩道灯として用いられる。なお、照明器具Ａは、ポール４０に直接取り付けられるようになっていてもよい。
【００３４】
本実施形態の照明器具Ａは、図１４〜図１６に示すように、器具本体１と、器具本体１の一面側（図１４中の下側）に開閉自在に取り付けられたグローブ１３と、ＬＥＤ光源２５（図１０参照）が実装されたＬＥＤ基板２０と、ＬＥＤ光源２５を覆うようにしてＬＥＤ基板２０の一面に配置されるレンズユニット２（図１２参照）とを備える。また、照明器具Ａは、ＬＥＤ基板２０から照射される光のうち器具本体１内へ漏れる光を下方（歩道側）に反射させる補助反射板３と、ＬＥＤ基板２０に点灯電力を供給する電源ユニット５とを備える。なお、器具本体１の基端側（図１４中の左側）には、照明器具Ａをポール４０に取り付けるためのアーム３０が一体的に設けられている。
【００３５】
器具本体１は、一面（図１５（ａ）中の下面）が開口する細長い箱状に形成された樹脂成型品からなり、器具本体１の基端側には電源ユニット５が配置され、器具本体１の略中央部にはＬＥＤ基板２０が配置されている。また、ＬＥＤ基板２０の側方（図１６（ａ）中の左右方向両側）には、ＬＥＤ基板２０から照射された光のうち器具本体１内へ漏れる光を下方に反射させる補助反射板３，３が設けられている。さらに、ＬＥＤ基板２０の裏面（図１５（ｂ）中の上面）には、ＬＥＤ基板２０の表面に実装されたＬＥＤ光源２５で発生する熱を放熱するための放熱板４が取り付けられている。なお、電源ユニット５にも、電源ユニット５で発生する熱を放熱するための放熱板（図示せず）が取り付けられている。
【００３６】
ここで、図１３はＬＥＤ基板２０の外観斜視図であり、ＬＥＤ基板２０の一面（図１３の上面）には複数のＬＥＤ光源２５が長手方向に沿って実装されるとともに、これらのＬＥＤ光源２５を覆うようにしてレンズユニット２が配置されている。なお、このレンズユニット２は、ＬＥＤ基板２０とともに取付ねじ２４を用いて放熱板４に取り付けられる。
【００３７】
ＬＥＤ光源２５は、図１０（ｂ）及び図１０（ｃ）に示すように、矩形板状に形成された実装基板２５ａを有し、実装基板２５ａの略中央にはＬＥＤチップ（図示せず）が実装されている。また、実装基板２５ａに実装されたＬＥＤチップは、樹脂層２５ｂによりモールドされている。そして、このＬＥＤ光源２５はＬＥＤ基板２０の上面に半田を用いて実装され、ＬＥＤ基板２０から供給される電力により上記のＬＥＤチップが発光する。
【００３８】
レンズユニット２は、図１２及び図１３に示すように、複数（本実施形態では８個）の光学レンズ２１と、これらの光学レンズ２１をＬＥＤ基板２０に取り付けるための取付部材２６とが一体に形成された樹脂成形品からなる。取付部材２６において隣接する光学レンズ２１，２１間には遮蔽部２６ａが設けられており、この遮蔽部２６ａによって隣接する光学レンズ２１，２１間での光の干渉を抑えることができる。
【００３９】
光学レンズ２１は、例えばアクリルなどの透光性材料からなり、図１０（ａ）〜図１０（ｃ）に示すように、前後方向（図１０（ａ）中の矢印ａ−ｂ方向）と直交する第１の方向（図１０（ａ）中の矢印ｃ−ｄ方向）において前方に凸となる凸曲面が設けられた砲弾型のレンズ本体（凸レンズ）２１ａを備える。前後方向及び上記第１の方向と直交する第２の方向（図１０（ａ）中の矢印ｅ−ｆ方向）におけるレンズ本体２１ａの両側には、後方（図１０（ａ）中の下側）に配置されたＬＥＤ光源２５からの光を前方に反射させるための角柱状の反射部２１ｅ，２１ｆが一体に設けられている。また、各反射部２１ｅ，２１ｆの後側（図１０（ａ）中の下側）には、ＬＥＤ光源２５で発生した熱を外部に逃がすための放熱孔２１ｂ（図１０（ａ）では片側のみ図示）がそれぞれ設けられている。ここにおいて、各反射部２１ｅ，２１ｆの外側面２１ｇ，２１ｈは、反射部２１ｅ，２１ｆに入射された光を全反射するような曲面に形成されており、その結果、反射部２１ｅ，２１ｆから側方へ漏れる光を抑えることができる。
【００４０】
さらに、レンズ本体２１ａには、図１０（ｂ）に示すように、ＬＥＤ光源２５からの光が入射される入射面２１ｊが、上記第１の方向から見た際に前後方向（図１０（ｂ）中の矢印ａ−ｂ方向）に対して所定の角度θ１だけ傾斜させた第３の方向（図１０（ｂ）中の矢印ｇ−ｈ方向）に対して直交する形で設けられている。また、両反射部２１ｅ，２１ｆは、上記第１の方向から見た形状がレンズ本体２１ａに対して非対称形状となっており、各反射部２１ｅ，２１ｆで反射された光は上記第３の方向に照射される。なお、各光学レンズ２１は、それぞれ左右方向（図１０（ａ）中の矢印ｅ−ｆ方向）がＬＥＤ基板２０の長手方向となるように配置され、またＬＥＤ基板２０は、その長手方向が器具本体１の長手方向（図１４中の左右方向）となるように配置される。
【００４１】
次に、光学レンズ２１の配光特性について、図１１を参照しながら説明する。図１１（ａ）は光学レンズ２１の第１の方向（図１０（ａ）中の矢印ｃ−ｄ方向）における配光特性を示し、図１１（ｂ）は光学レンズ２１の第２の方向（図１０（ａ）中の矢印ｅ−ｆ方向）における配光特性を示している。この光学レンズ２１によれば、歩道の進行方向に対しては広角（±７０°程度）に配光することができ、また歩道と直交する方向（つまり歩道の幅方向）に対しては光軸を中心として±３０°の範囲に配光されるとともに、前後方向（図１１（ｂ）中の０°の方向）に対して所定の角度θ１だけ傾斜させた第３の方向（図１０（ｂ）中の矢印ｇ−ｈ方向）に最も強い光が照射される。これは、光学レンズ２１のレンズ本体２１ａに設けられた入射面２１ｊを上記第３の方向に対して直交させ、さらに各反射部２１ｅ，２１ｆで反射される光を上記第３の方向に照射させたことによるものであり、その結果、歩道外へ向かう光の量を抑えて前方への光の量を増加させることができるとともに、所定の角度（本実施形態ではθ１）への配光が可能になる。
【００４２】
また、図１０（ｂ）は第１の方向（図１０（ａ）中の矢印ｃ−ｄ方向）に沿った光学レンズ２１の断面図であり、左右方向に広角に照射された光は反射部２１ｅ，２１ｆの外側面２１ｇ，２１ｈで全反射されるとともに、出射面で内向きに屈折して第３の方向（図１０（ａ）中の矢印ｇ−ｈ方向）に照射される。さらに、レンズ本体２１ａの入射面２１ｊに入射された光は、入射面２１ｊが第３の方向に対して直交しているため、出射面で屈折して第３の方向に照射される。
【００４３】
一方、図１０（ｃ）は第２の方向（図１０（ａ）中の矢印ｅ−ｆ方向）に沿った光学レンズ２１の断面図であり、ＬＥＤ光源２５から照射された光は広角に配光される。
【００４４】
従って、この光学レンズ２１を用いることで、歩道の進行方向では広角な配光を実現でき（図１６（ａ）中の矢印参照）、歩道と直交する幅方向では所定の角度への配光を実現できる（図１６（ｂ）中の矢印参照）。
【００４５】
ここで、図１７（ａ）は本実施形態の照明器具Ａの施工図であり、図１７（ｂ）は従来の照明器具Ａの施工図である。従来の照明器具Ａでは、光軸Ｐ１が上記前後方向（図１０（ａ）中の矢印ａ−ｂ方向）に設定されており、その結果、図１７（ｂ）に示すように照射光の一部が住宅１００に照射されてしまうため、住宅１００の住人にとって好ましくない。なお、図１７（ｂ）中の領域ｂは従来の照明器具Ａの照射領域である。
【００４６】
一方、本実施形態の照明器具Ａでは、光軸Ｐ２が上記前後方向に対して所定の角度θ１だけ傾斜させた第３の方向（図１０（ｂ）中の矢印ｇ−ｈ方向）に設定されており、その結果、図１７（ａ）に示すように照射光の全てが歩道に照射されることになり、住宅１００には照射されない。つまり、照明器具Ａの光軸をずらすことで所望の方向への配光が可能になるのである。なお、図１７（ａ）中の領域ｃは本実施形態の照明器具Ａの照射領域である。
【００４７】
而して本実施形態によれば、光学レンズ２１の入射面２１ｊを傾斜させて光軸の向きを変化させることで、照明器具Ａの配光を所望の角度に設定することができる。また本実施形態によれば、光の配光を制御する際に反射板などを追加しなくてもよく、部品点数を削減することができる。
【００４８】
さらに本実施形態のように、複数の光学レンズ２１を組み合わせてレンズの集合体（本実施形態のレンズユニット２）とすることで、複数のＬＥＤ光源２５から照射される光を容易に集光することができ、しかも光学レンズ２１を個別にＬＥＤ基板２０に取り付ける場合に比べて作業時間の短縮が図れる。
【００４９】
また本実施形態のように、光学レンズ２１又はレンズユニット２を用いることによって、ＬＥＤ光源２５から照射される光の配光を所望の角度に設定可能な照明器具Ａを提供することができる。さらに、光学レンズ２１の入射面２１ｊを傾斜させた場合には、上記第２の方向における片側から外部に漏れる光の量が多くなってしまうが、本実施形態のように反射部２１ｅ，２１ｆにより前方に反射させることで外部に漏れる光の量を低く抑えることができる。
【００５０】
なお本実施形態では、照明器具Ａとして歩道脇に設置される歩道灯を例に説明したが、照明器具Ａは本実施形態に限定されるものではなく、図９に示すように拡散性を有するグローブ１００が光源の前方に配置された防犯灯であってもよい。また、前後方向と直交する第１の方向において広角の配光となり、前後方向及び第１の方向それぞれと直交する第２の方向において所望の角度に配光するようなものであれば、他の照明器具であってもよい。
【００５１】
さらに本実施形態では、光学レンズ２１を８個１列に並べたものをレンズユニット２としているが、レンズユニット２は複数の光学レンズ２１を組み合わせた集合体であれば本実施形態に限定されるものではなく、例えば光学レンズ２１を円環状に配置したものでもよい。また本実施形態では、反射部２１ｅ，２１ｆに入射された光が全反射するように外側面２１ｇ，２１ｈを曲面としているが、少なくとも入射された光の一部が反射されるようになっていればよく、平面や平面及び曲面を組み合わせたものであってもよい。さらに、入射面２１ｊの傾斜角についても本実施形態に限定されるものではなく、設置環境などに応じて適宜設定すればよい。
【符号の説明】
【００５２】
２１  光学レンズ
２１ａ  レンズ本体（凸レンズ）
２１ｃ  反射部
２５  ＬＥＤ光源（光源）
【図１】
2012145904.tif 000003
【図２】
2012145904.tif 000004
【図３】
2012145904.tif 000005
【図４】
2012145904.tif 000006
【図５】
2012145904.tif 000007
【図６】
2012145904.tif 000008
【図７】
2012145904.tif 000009
【図８】
2012145904.tif 000010
【図９】
2012145904.tif 000011
【図１０】
2012145904.tif 000012
【図１１】
2012145904.tif 000013
【図１２】
2012145904.tif 000014
【図１３】
2012145904.tif 000015
【図１４】
2012145904.tif 000016
【図１５】
2012145904.tif 000017
【図１６】
2012145904.tif 000018
【図１７】
2012145904.tif 000019